(57)【要約】【課題】使用者の指先にパフを被せ、当該指先に被せたパフを肌に押し付けて使用するパフとすることにより、指先の微妙な力で化粧料等を肌につけたり、引き伸ばすことができ、また、細かい部分を塗ることが極めて容易にできる化粧用指入れパフを提供する。【解決手段】弾性及びクション性を有するスポンジシートから成る略袋形状の本体１が設けられ、当該本体１の内部には、一側面に開口部２を有する袋状部３が形成された二重袋形状であり、当該二重袋の内側が相互に接合され、一体化している。【選択図】      図２
0003170413.tif 000002
【実用新案登録請求の範囲】
【請求項１】
指先に被せて使用できる二重袋形状であり、当該二重袋形状を形成する縫製の縫い代が二重袋の内側に位置していることを特徴とする化粧用パフ。
【請求項２】
前記二重袋の内側が相互に接合され、一体化していることを特徴とする、請求項１に記載の化粧用指入れパフ。
【請求項３】
素材シートを略左右対称に形成し、塗布面及び指入れ面が内側となるよう中央部で折り曲げて二つ折りにし、折り曲げ縁を除いた周縁を、当該周縁の一部を除いて縫製し、当該縫製をしなかった一部の箇所の小開口から表裏を反転させて塗布面及び指入れ面を外側にし、前記折り曲げ縁側の素材シートを、前記折り曲げ縁と反対側の２枚の素材シートの中に入れて二重袋形状としたことを特徴とする、請求項１に記載の化粧用指入れパフ。
【請求項４】
略左右対称に形成した素材シートと、当該素材シートと略同形同大のホットメルトシートを重ね、当該ホットメルトシートが外側に来るように、二つのシートを中央部で折り曲げて二つ折りにし、折り曲げ縁を除いた周縁を、当該周縁の一部を除いて縫製し、当該縫製をしなかった一部の箇所の小開口から表裏を反転させて素材シートを外側にし、前記折り曲げ縁側の素材シートを、前記折り曲げ縁と反対側の二枚の素材シートの中に入れて二重袋形状とし、当該袋状部材を加温してホットメルトシートを溶かして内外の素材シートを内側で相互に一体に接合したことを特徴とする、請求項１又は２に記載の化粧用指入れパフ。
【請求項５】
前記素材シートが布、ベルベット布、皮革、合成皮革、スポンジシート、植毛スポンジシートのいずれか又は複数の素材を繋ぎ合わせるか又は重層したシートであることを特徴とする、請求項３又は４に記載の化粧用指入れパフ。
【考案の詳細な説明】
【技術分野】
【０００１】
この考案は、化粧用パフの一種であって、指を穴に入れて、当該指先にパフを被せ、当該指先に被せたパフで化粧料等を肌に塗りつける化粧用指入れパフに関するものである。
【背景技術】
【０００２】
従来の化粧用パフは、形状が扁平な平面視円形、楕円形、卵型、円錐台形、四角形等に形成され、素材はスポンジ等の弾性体や当該弾性体を布で被ってなり、このパフを手で持って、パフの先端に化粧料をつけて、これを肌に塗りつけたり、引き伸ばしたりしてメイクアップを行っていた。
【０００３】
具体的には、特許文献１のように、ウレタンゴム、シリコーンゴム、ニトリル・ブタジェン・ラバー、その他の樹脂から成る発泡体や海綿体等の弾性体そのものから構成される化粧用パフや、特許文献２のように、ウレタンスポンジの表面を絹製の不織布で被ったもの等がある。
【０００４】
【特許文献１】特開２００１−３２１２２３号公報
【特許文献２】特許第４０１４０２２号公報
【考案の開示】
【考案が解決しようとする課題】
【０００５】
しかしながら、従来の化粧用パフは、一端を手で持ったパフの他端を肌に押し付けるため、弾性力及びクッション性を有するスポンジ等からなるパフを介して手の力をパフの先端に伝えるため、使用者の微妙な力を思うようにパフの先端に伝えることができない。また、細部箇所のポイントメイクを行うことが難しかった。
【０００６】
この考案は、このような従来技術を考慮したものであって、使用者の指先にパフを被せ、当該指先に被せたパフを肌に押し付けて使用するパフとすることにより、指先の微妙な力で化粧料等を肌につけたり、引き伸ばすことができ、また、細かい部分のポイントメイクが極めて容易にできる化粧用指入れパフを提供することを目的としたものである。
【課題を解決するための手段】
【０００７】
請求項１の考案は、指先に被せて使用できる二重袋形状であり、当該二重袋形状を形成する縫製の縫い代が二重袋の内側に位置している、化粧用パフとした。
【０００８】
また、請求項２の考案は、請求項１の考案において、前記二重袋の内側が相互に接合され、一体化している化粧用指入れパフとした。
【０００９】
また、請求項３の考案は、前記請求項１の考案において、素材シートを略左右対称に形成し、塗布面及び指入れ面が内側となるよう中央部で折り曲げて二つ折りにし、折り曲げ縁を除いた周縁を、当該周縁の一部を除いて縫製し、当該縫製をしなかった一部の箇所の小開口から表裏を反転させて塗布面及び指入れ面を外側にし、前記折り曲げ縁側の素材シートを、前記折り曲げ縁と反対側の２枚の素材シートの中に入れて二重袋形状とした、化粧用指入れパフとした。
【００１０】
また、請求項４の考案は、前記請求項１又は２の考案において、略左右対称に形成した素材シートと、当該素材シートと略同形同大のホットメルトシートを重ね、当該ホットメルトシートが外側に来るように、二つのシートを中央部で折り曲げて二つ折りにし、折り曲げ縁を除いた周縁を、当該周縁の一部を除いて縫製し、当該縫製をしなかった一部の箇所の小開口から表裏を反転させて素材シートを外側にし、前記折り曲げ縁側の素材シートを、前記折り曲げ縁と反対側の二枚の素材シートの中に入れて二重袋形状とし、当該袋状部材を加温してホットメルトシートを溶かして内外の素材シートを内側で相互に一体に接合した、化粧用指入れパフとした。
【００１１】
また、請求項５の考案は、請求項３又は４の考案において、前記素材シートが布、ベルベット布、皮革、合成皮革、スポンジシート、植毛スポンジシートのいずれか又は複数の素材を繋ぎ合わせるか又は重層したシートである、化粧用指入れパフとした。
【考案の効果】
【００１２】
請求項１及び５の考案によれば、使用者の指先にパフを被せ、当該指先に被せたパフを肌に押し付けて使用するパフとすることにより、指先の微妙な力が肌に伝わり、これにより化粧料等を肌につけたり、引き伸ばすことができ、より繊細な化粧をすることができる。また、従来の化粧用パフと比べ、指先に被せた大きさなので、目元や小鼻等の顔等の細かい部分に化粧料等を極めて容易に塗ったり、引き伸ばしたりすることができる。
【００１３】
また、縫い代が外側に出ず、肌触りがよいと共に、指先を入れる袋の中にも縫い目が現れず、当該袋の中に入れた指先に違和感がなく、また、指先を入れても袋の縫い目の糸がほつれることがない。
【００１４】
また、請求項２の考案によれば、請求項１の考案の効果に加え、二重袋の内側が接合され、一体化しているので、内部に空洞がなく、指による接触感覚がダイレクトにパフ外部に伝わり、微妙なタッチで化粧ができる。従って、指触り感と顔等の肌触り感が同じになり、使用者のより微妙な感覚を、パフの表面に伝えることができる。また、上述の様に、二重袋の内部に空洞がないので、全体の厚みを薄くすることが出来、従来パフ用に設計された薄型のコンパクトケースへの収納も違和感なく納めることが出来る。
【００１５】
また、請求項３の考案によれば、指先が接触する袋の奥部の突き当たり箇所に縫い目等の接合部がなく、一体に折り返されているので、当該袋の中に入れた指先に違和感がなく、指先とパフの一体感が生じ、使用者はより使いやすい。また、請求項１の考案の化粧用指入れパフを容易に製造することが出来る。
【００１６】
また、請求項４の考案によれば、指先が接触する袋の奥部の突き当たり箇所に縫い目等の接合部がなく、一体に折り返されているので、当該袋の中に入れた指先に違和感がなく、指先とパフの一体感が生じ、使用者はより使いやすい。また、ホットメルトシートを使用することで、外側の素材シートと内側の素材シートを容易に貼り合わせることができる。従って、請求項２の考案の化粧用指入れパフが極めて容易にでき、量産可能である。
【００１７】
また、請求項５の考案によれば、この考案の素材シートは、指に被せる二重袋形状に形成できる可とう性のものであれば、種々の素材を使用可能である。
【考案を実施するための最良の形態】
【００１８】
この考案は、指先に被せて使用できる二重袋形状であり、当該二重袋形状を形成する縫製の縫い代が二重袋の内側に位置しており、また、当該二重袋の内側が相互に接合され、一体化している化粧用パフとした。
【００１９】
従って、使用者の指先にパフを被せ、当該指先に被せたパフを肌に押し付けて使用するパフとすることにより、指先の微妙な力が肌に伝わり、これにより化粧料等を肌につけたり、引き伸ばすことができ、より繊細な化粧をすることができる。
【実施例１】
【００２０】
以下、この考案の実施例１を図に基づいて説明する。図１はこの考案の化粧用指入れパフの斜視図、図２は同縦断面図、図３は同使用状態を示す斜視図である。
【００２１】
この化粧用指入れパフＡは、使用者の指先を被う大きさから成り、スポンジ素材から成る本体１が設けられている。この本体１内には、一側に開口部２を有する袋状部３が形成され、この袋状部３に指先４を挿入して、図３に示すように、指先４に被冠して使用するものである。
【００２２】
次に、この化粧用指入れパフＡの製造方法の例を、図４から図１３に基づいて説明する。
【００２３】
まず、図４に示すように、上下縁の両側にそれぞれ切り欠き部５を有し、左右の両側が湾曲した、左右が対称形状のスポンジシート６を用意し、さらに、当該スポンジシート６と略同形同大のホットメルトシート７を用意する。これらのスポンジシート６及びホットメルトシート７を重ねる（第１過程）。次に図５に示すように、左右を重ねるように中央部で折曲げる。その際、ホットメルトシート７が外側、スポンジシート６が内側に成るように折る。
【００２４】
そして、上記のように折曲げた状態で、折曲げ縁８及び前記切り欠き部５の箇所を除いて図５に破線で示すように縫製する（第２過程）。そこで、図６及び図７に示すように、前記各切り欠き部５の奥部に小開口９が形成される（第３過程）。この小開口９から、外側のホットメルトシート７を内側に入れ、表裏を反転させる（第４過程）。これにより図８に示す状態、すなわち、ホットメルトシート７が内側、スポンジシート６が外側となり、縫い目１０は内側に位置して、外部に露出していない。
【００２５】
この図８の状態は、外形が図９に示す状態であり、前記折曲げ縁８から、周囲のスポンジシート６を、図１０に示すように、前記切り欠き部５の反対側のスポンジシート６の内側に向かって挿入していき（第５過程）、図１１の状態を経て図１２の状態にする。この図１２の状態では、図１３に示すように、内側に位置するホットメルトシート７相互が対向しているが、接合されておらず、これらの間に間隙を有する。
【００２６】
その後、図１２及び図１３の状態から加温しながら加圧する。これにより内部のホットメルトシート７が熱で溶けて、スポンジシート６相互が接合され、図１及び図２の状態の化粧用指入れパフＡとなる。
【００２７】
この様に製造することが出来るため、容易にスポンジシートとホットメルトシート（接着剤）の内外を反転させて外部からの加熱で内部のホットメルトシートを溶かしてスポンジシートを内部で一体に接合することが出来る。これは、接着剤を塗布するなどでは達成出来ないものである。
【００２８】
これにより、袋状部３内に、縫い目１０がなく、さらに、袋状部３の奥部の突き当たり箇所は一体に折り返されているだけなので、使用者が指先４を入れた際、違和感がない。また、上述のように、パフの外周面のスポンジシート６と袋状部３の内周面のスポンジシート６は同じ素材であり、密着しているので、パフＡに一体感があり、指触り感がダイレクトに外側に伝わり、微妙な化粧タッチで使用することができる。
【００２９】
また、縫い目１０による縫い代は、当該化粧用指入れパフＡの内部に設けられているため、糸のほつれ等の恐れがなく、耐久性があるものである。
【００３０】
また、上記実施例１ではパフの素材をスポンジシートとしたが、これに限らず、布帛、起毛布、皮革、合成皮革、スポンジシート等が使用できる。また、上記スポンジシートは、弾性及びクッション性がある各種素材の発泡体が使用でき、ラテックススポンジ、乾式、湿式のウレタンフォーム、発泡ゴムスポンジ、発泡熱可塑性樹脂スポンジ、その他が好ましく使用できる。また、クッション性と塗布性を両立するよう多層にすることも出来る。
【００３１】
スポンジシートは、化粧料の浸透を抑えて化粧料の無駄を防ぐよう浸透力を調整することも出来る。上記スポンジシートの気泡セルは微細緻密なものが使用感、化粧効果共に優れる。スポンジシートの気泡セルの平均径が２０μｍから２００μｍのものがパウダーファンデーション用途に優れた化粧効果が得られ、好ましく使用できる。
【００３２】
さらに、スポンジシートにナイロンパイル等を植毛したシートや、ベルベットなどの布帛を重層したシートも使用することが出来る。これらの起毛表面のシートを使用することでチーク用途に優れた化粧効果が得られる。この場合、スポンジシートの厚みは、０．５〜２ｍｍが、化粧効果、使用感共に優れ、好ましく使用できる。
【００３３】
上記素材シートは、塗布部と指入れ部とで異なった素材を使用することも出来る。この場合、塗布部シート６ａと指入れ部シート６ｂを図１４に示すように予め縫合して使用し、上記実施例１と同様にホットメルトシート７を重ねて周囲を縫製し、表裏をひっくり返して、折り曲げ縁８を内部に入れて、図１５に示すように、指入れ部（袋状部３）の開口部２に縫い目６ｃ（塗布部シート６ａと指入れ部シート６ｂの縫い目）が来るようにする。これにより、化粧効果に優れた塗布部と、しっかりとした指先接触感を持った指入れ部とを設けることが出来、また、デザイン上好ましい。この場合の前記縫い目６ｃやその縫い代は二重袋の内部となるように配置する。
【００３４】
また、この考案の化粧用指入れパフは上記実施例１の構造及び製造方法によるものに限定されるものではない。
【図面の簡単な説明】
【００３５】
【図１】この考案の実施例１の化粧用指入れパフの斜視図である。
【図２】この考案の実施例１の化粧用指入れパフの縦断面図である。
【図３】この考案の実施例１の化粧用指入れパフの使用状態を示す斜視図である。
【図４】この考案の実施例１の化粧用指入れパフの製造方法の第１過程を示す斜視図である。
【図５】この考案の実施例１の化粧用指入れパフの製造方法の第２過程を示す斜視図である。
【図６】この考案の実施例１の化粧用指入れパフの製造方法の第３過程を示す斜視図である。
【図７】この考案の実施例１の化粧用指入れパフの製造方法の第３過程を示す縦断面図である。
【図８】この考案の実施例１の化粧用指入れパフの製造方法の第４過程を示すもので、スポンジシートとホットメルトシートを反転させた状態の縦断面図である。
【図９】この考案の実施例１の化粧用指入れパフの製造方法の第５過程を示すもので、（Ａ）図は側面図、（Ｂ）図は平面図である。
【図１０】この考案の実施例１の化粧用指入れパフの製造方法の第５過程を示す縦断面図である。
【図１１】この考案の実施例１の化粧用指入れパフの製造方法の第５過程をさらに進めた状態を示すもので、（Ａ）図は側面図、（Ｂ）図は平面図である。
【図１２】この考案の実施例１の化粧用指入れパフの製造方法の第５過程の終了時の状態を示すもので、（Ａ）図は側面図、（Ｂ）図は平面図である。
【図１３】この考案の実施例１の化粧用指入れパフの製造方法の第５過程の終了時の縦断面図である。
【図１４】この考案の他の実施例の化粧用指入れパフの製造方法の第１過程を示す斜視図である。
【図１５】この考案の他の実施例の化粧用指入れパフの製造方法の第５過程の終了時の縦断面図である。
【符号の説明】
【００３６】
１      本体                        ２      開口部
３      袋状部                      ４      指先    
５      切り欠き部                  ６      スポンジシート
６ａ    塗布部シート                ６ｂ    指入れ部シート
６ｃ    縫い目                      ７      ホットメルトシート
８      折曲げ縁                    ９      小開口  
１０    縫い目
【図１】
0003170413.tif 000003
【図２】
0003170413.tif 000004
【図３】
0003170413.tif 000005
【図４】
0003170413.tif 000006
【図５】
0003170413.tif 000007
【図６】
0003170413.tif 000008
【図７】
0003170413.tif 000009
【図８】
0003170413.tif 000010
【図９】
0003170413.tif 000011
【図１０】
0003170413.tif 000012
【図１１】
0003170413.tif 000013
【図１２】
0003170413.tif 000014
【図１３】
0003170413.tif 000015
【図１４】
0003170413.tif 000016
【図１５】
0003170413.tif 000017